(57)【特許請求の範囲】
【請求項１】
取付部材と、
前記取付部材に対して回転自在に設置される回転体と、
前記取付部材側に設けられた摺接パターンと前記回転体に取り付けられた摺動子とを具備し、前記摺動子に設けた接点部が前記回転体の回転に伴って前記摺接パターン上を摺接して該摺接パターンの電気的出力が変化する電気的機能部と、
前記回転体の回転中心位置に設置されたコイル状に巻き回されたコイル部と、該コイル部から半径方向外側に引き出された引出部とを具備し、前記回転体が回転する際に前記取付部材側に設けた引出部係止部によって前記引出部が係止され前記回転体を中立位置に自動復帰させるコイルスプリングと、を備えた回転式電子部品において、
前記コイルスプリングは前記回転体の前記取付部材に対向する反対の面側に設置され、
一方前記取付部材から突出する前記引出部係止部は、前記回転体を貫通して該回転体の前記コイルスプリングを設置した面側に突出し、さらにこの引出部係止部は、前記摺動子の接点部よりも前記回転体の回転中心に近い位置に配置されることを特徴とする回転式電子部品。
【請求項２】
請求項１に記載の回転式電子部品において、
前記回転体を、該回転体の回転軸方向に直交する方向を長手方向とする長方形状に形成したことを特徴とする回転式電子部品。
【請求項３】
請求項２に記載の回転式電子部品において、
前記摺接パターン及び前記摺動子の接点部を、前記回転体の長手方向の両端部の近傍位置にそれぞれ配置したことを特徴とする回転式電子部品。
【請求項４】
請求項３に記載の回転式電子部品において、
前記摺動子は、前記回転体の長手方向と同一方向を長手方向とする長方形状の本体部を備え、該本体部の長手方向の両端部に前記接点部を設けた構成としたことを特徴とする回転式電子部品。
【発明の詳細な説明】
【技術分野】
【０００１】
本発明は、回転体の回転に伴って電気的機能部の電気的出力が変化する構成の回転式電子部品に関するものである。
【背景技術】
【０００２】
従来、取付部材と、この取付部材に対して回転自在に設置される回転体と、取付部材と回転体の間に設置され回転体の回転に伴って電気的出力が変化する電気的機能部とを備えた回転式電子部品がある（例えば特許文献１参照）。そしてこの回転式電子部品では、前記電気的機能部として取付部材側に設けた摺接パターンと回転体に取り付けた摺動子とを備え、回転体の回転に伴って摺動子に設けた接点部が摺接パターン上を摺接して該摺接パターンの電気的出力が変化するように構成している。また、回転体の回転中心位置に設置されたコイル状に巻き回されたコイル部と、該コイル部から半径方向外側に引き出された引出部とからなるコイルスプリングを回転体に内蔵し、回転体が回転する際に取付部材側に設けた引出部係止部でコイルスプリングの引出部が係止されることでコイル部に弾性復帰力が生じ、回転体が中立位置に自動復帰するように構成している。
【０００３】
ところが、上記従来の回転式電子部品では、引出部係止部を摺動子の接点部よりも回転体の回転中心から遠い位置（外側位置）に配置していたことで、摺動子の接点部が回転体の回転中心に近い位置に配置されていた。そのため接点部が摺接パターン上を摺接する際の分解能を高めることができず、回転体の回転角度を大きくする必要があり、その分回転式電子部品の小型化・薄型化が図れないという問題があった。またコイルスプリングのコイル部と引出部係止部との間の引出部が長くなると、回転体を回転した際に該引出部の撓みが大きくなりすぎて、回転体が中立位置へ復帰する際の応答が遅くなるおそれがあった。また引出部係止部を摺動子の接点部の外側位置に配置していると、その分回転式電子部品の外形寸法の小型化を図ることができないという問題があった。
【特許文献１】特開２００５−１９８４４号公報
【発明の開示】
【発明が解決しようとする課題】
【０００４】
本発明は上述の点に鑑みてなされたものでありその目的は、外形寸法の小型化・薄型化を図ることができる回転式電子部品を提供することにある。
【課題を解決するための手段】
【０００５】
本願請求項１に記載の発明は、取付部材と、前記取付部材に対して回転自在に設置される回転体と、前記取付部材側に設けられた摺接パターンと前記回転体に取り付けられた摺動子とを具備し、前記摺動子に設けた接点部が前記回転体の回転に伴って前記摺接パターン上を摺接して該摺接パターンの電気的出力が変化する電気的機能部と、前記回転体の回転中心位置に設置されたコイル状に巻き回されたコイル部と、該コイル部から半径方向外側に引き出された引出部とを具備し、前記回転体が回転する際に前記取付部材側に設けた引出部係止部によって前記引出部が係止され前記回転体を中立位置に自動復帰させるコイルスプリングと、を備えた回転式電子部品において、前記コイルスプリングは前記回転体の前記取付部材に対向する反対の面側に設置され、一方前記取付部材から突出する前記引出部係止部は、前記回転体を貫通して該回転体の前記コイルスプリングを設置した面側に突出し、さらにこの引出部係止部は、前記摺動子の接点部よりも前記回転体の回転中心に近い位置に配置されることを特徴とする。
【０００７】
本願請求項２に記載の発明は、請求項１に記載の回転式電子部品において、前記回転体を、該回転体の回転軸方向に直交する方向を長手方向とする長方形状に形成したことを特徴とする。
【０００８】
本願請求項３に記載の発明は、請求項２に記載の回転式電子部品において、前記摺接パターン及び前記摺動子の接点部を、前記回転体の長手方向の両端部の近傍位置にそれぞれ配置したことを特徴とする。
【０００９】
本願請求項４に記載の発明は、請求項３に記載の回転式電子部品において、前記摺動子は、前記回転体の長手方向と同一方向を長手方向とする長方形状の本体部を備え、該本体部の長手方向の両端部に前記接点部を設けた構成としたことを特徴とする。
【発明の効果】
【００１０】
本願の請求項１に記載の発明によれば、引出部係止部を、摺動子の接点部よりも回転体の回転中心に近い位置に配置したので、回転式電子部品の外形寸法の小型化を図ることができる。また、引出部係止部をコイルスプリングのコイル部に近付けて配置することができるので、引出部係止部とコイル部との間の引出部が撓むおそれがなくなると共に、引出部が係止される際に生じるコイルスプリングの弾発復帰力を強くすることが可能となる。また、摺動子の接点部を回転体の回転中心から離れた位置に配置できるので、摺動子の接点部が摺接パターン上を摺接する際の分解能を高めることができる。これらにより回転体の回転角度が小さくて済むので、その点においても回転式電子部品の小型化・薄型化を図ることができる。
【００１１】
本願の請求項１に記載の発明によれば、取付部材から突出する引出部係止部を、回転体のコイルスプリングを設置した面側に容易に配置することが可能となる。
【００１２】
本願の請求項２に記載の発明によれば、回転体を、該回転体の回転軸方向に直交する方向を長手方向とする長方形状に形成したことで、回転体の高さ寸法を従来よりも小さくすることができ、回転式電子部品の薄型化を図ることができる。
【００１３】
本願の請求項３に記載の発明によれば、摺接パターン及び摺動子の接点部を回転体の回転中心からできるだけ遠い位置に配置することができるので、接点部が摺接パターン上を摺接する際の分解能をさらに高めることができる。これにより回転体の回転角度がより小さくて済むので、回転式電子部品の小型化・薄型化を図ることができる。
【００１４】
本願の請求項４に記載の発明によれば、長方形状に形成された回転体への取り付けが簡単で、該回転体から容易に外れない摺動子を提供することができる。また、簡単な構成で回転体の長手方向の両端部の近傍位置に接点部を配置することが可能な摺動子を提供できる。
【発明を実施するための最良の形態】
【００１５】
以下、本発明の実施形態を図面に基づいて詳細に説明する。
〔第１実施形態〕
図１は本発明の第１実施形態にかかる回転式電子部品１の側断面図であり、図２は回転式電子部品１を前面側から見た分解斜視図であり、図３は、回転式電子部品１の一部構成部品を背面側から見た分解斜視図である。また図５は、回転式電子部品１を前面から見た概略構成図（但し、下記する押え部材６５や取付台９０等の記載は省略）である。これら各図に示すように回転式電子部品１は、回路基板（以下この実施形態では「フレキシブル回路基板」という）１０を取り付けた取付部材２０と、取付部材２０に対して回転自在に設置される回転体３０と、回転体３０に内蔵され回転体３０を中立位置に自動復帰させるコイルスプリング（以下この実施形態では「ねじりコイルスプリング」という）６０と、回転体３０の前面に設置した押え部材６５と、回路基板（以下この実施形態では「第２フレキシブル回路基板」という）８５を載置した取付台９０と、取付部材２０を取付台９０に取り付ける固定部材８０と、回転体３０の外周側面上に設置され該回転体３０と一体に回転するつまみ７０とを具備して構成されている。以下各構成部品について説明する。
【００１６】
図４は、フレキシブル回路基板１０を取り付けた取付部材２０を示す斜視図である。同図に示すようにフレキシブル回路基板１０は、機能パターン部１１と端子パターン部１２とを設けて構成されている。機能パターン部１１は、下記する取付部材２０の電子部品取付部２１の外形と略一致する長方形状に形成され、その中央には、下記する回転体３０の回転軸３１を通す円形の貫通孔１７が設けられている。また、貫通孔１７の両側には下記する取付部材２０の引出部係止部２８を貫通させる一対の貫通孔１８が設けられている。さらに貫通孔１８の両外側の表面には、電気的機能部を構成する一対の円弧状の摺接パターン１３が形成されている。この摺接パターン１３はスイッチパターンであっても良いし、抵抗体パターンであっても良く、さらにそれら以外の機能を有するパターンであっても良い。一方、機能パターン部１１の下側に接続された端子パターン部１２には、３つの端子パターン１４が設けられ、摺接パターン１３と端子パターン１４間が接続パターン１５によって接続されている。端子パターン部１２の両側近傍には下記する固定部材８０の取付片８２を係合する貫通穴からなる係合部１６が設けられている。
【００１７】
取付部材２０は、合成樹脂の成形品で、回転体３０の回転軸方向と直交する左右方向を長手方向とする略長方形状で板状の電子部品取付部２１と、電子部品取付部２１を略Ｌ字状に屈曲することで回転体３０から離れる方向（後方）に伸びる平板状の圧接接続部２２とを一体成形して構成されている。ここでいう回転体３０の回転軸方向と直交する左右方向とは、回転体３０が中立位置にある状態でその長手方向が向かう方向と同じ方向を示す。電子部品取付部２１は、フレキシブル回路基板１０の機能パターン部１１の周囲と背面とを囲むように成形されている。この電子部品取付部２１の上部中央と下部両端には、それぞれ下記する回転体３０の外周側面の上部及び両側部の外側を通して押え部材６５側に向かって棒状に突出する押え部材固定部２３，２４，２５が設けられている。各押え部材固定部２３，２４，２５の先端には、熱カシメによって下記する押え部材６５を固定する小突起状の固定部２６が設けられている。
【００１８】
電子部品取付部２１の下部両端に設けた押え部材固定部２４，２５の上面は、下記するねじりコイルスプリング６０の引出部６２に当接する当接部２４ａ，２５ａとなっている。また、押え部材固定部２３の左右両側面は、下記する回転体３０のストッパ当接面３６ａを当接するストッパ当接部２３ａとなっている。また電子部品取付部２１中央のフレキシブル回路基板１０の貫通孔１７を設けた位置には、貫通孔１７の内径寸法と同一内径寸法であって下記する回転体３０の回転軸３２を回転自在に軸支する円形の貫通孔２７が設けられている。また、貫通孔２７の両外側であってフレキシブル回路基板１０の両摺接パターン１３より内側の位置には、電子部品取付部２１の前面側に向かって水平に突出する一対の柱状の小突起からなる引出部係止部２８が設けられている。引出部係止部２８は、回転体３０が回転する際にねじりコイルスプリング６０の引出部６２に当接してこれを係止するものである。一方、圧接接続部２２は平板状であって、その両側辺の近傍に下記する固定部材８０の取付片８２を係合する貫通孔からなる取付片挿入部２９が設けられている。
【００１９】
回転体３０は、合成樹脂の成形品で、その外形を、該回転体３０の回転軸方向と直交する方向を長手方向とする長方形状に形成している。そして、その両面（回転軸方向に直交する両面）の中央から一対の回転軸３１，３２を突出し、一方の面（取付部材２０側の面）を摺動子取付面３３とし、他方の面に収納部３４を設けている。また、図５に示すように回転体３０はその外周側面の上面部につまみ７０を設置するつまみ設置面３５を設け、このつまみ設置面３５を平面状に形成している。このつまみ設置面３５は、回転体３０の長手方向と一致する方向を長手方向とする長方形の平面状に形成されている。言い換えると回転体３０は、つまみ設置面３５上の回転体３０の回転軸方向に直交する方向を長手方向とする横長の長方形状に形成されている。
【００２０】
つまみ設置面３５の中央部には、取付部材２０の押え部材固定部２３を挿通する凹状の窪みからなる挿通部３６が設けられ、挿通部３６の左右両内側面をストッパ当接面３６ａとしている。また、つまみ設置面３５の挿通部３６の両側部分、即ちつまみ設置面３５の中央から左右に等間隔の位置には、それぞれつまみ設置面３５から上方に向かって突出する突起状の押圧部当接部３７が形成されている。この押圧部当接部３７は、回転体３０の長手方向に沿って延伸する板状部分と、該板状部分の両外側の前面側に設けた突起状部分とを備えた形状で、前面側に下記するつまみ７０の押圧部７３の先端部７３ａを当接させる当接用凹部３７ａを形成している。
【００２１】
両回転軸３１，３２の先端面には、それぞれ下記するつまみ７０の一対の係合部７５に係合する取付部３８が設けられている。取付部３８は、回転軸３１，３２の先端面から上下に帯状（直線状）に伸びる平板状の突起であり、平板状のその突起先端面は、つまみ７０から離れる方向に従って外方に広がるテーパ面３８ａとなっている。つまり取付部３８は下記する係合部７５にスナップイン係合していく方向に向かって縦長形状に形成されている。
【００２２】
回転体３０の前面に設けた収納部３４は、図５に示すように回転体３０の外形に沿う外側壁３４ａに囲まれた略長方形状の凹部として形成されている。収納部３４内の回転軸３１の外周には、ねじりコイルスプリング６０のコイル部６１を設置するコイル部設置部３９が設けられている。このコイル部設置部３９は、回転軸３１と、該回転軸３１の下面側の周囲を囲む円弧形状の突起部４０との間に形成された円弧形状の溝部を有している。回転軸３１の両側に位置する突起部４０の上端面は、ねじりコイルスプリング６０の引出部６２に当接する当接部４０ａとなっている。また、該当接部４０ａの上方の部分は、コイル部設置部３９から半径方向外側が開放された引出部挿通部４１になっている。また当接部４０ａの両外側には、収納部３４の内底面に設けた貫通孔からなる挿通部４３が形成されている。この挿通部４３は引出部係止部２８を挿通させるもので、回転体３０が回転する際に引出部係止部２８がこの挿通部４３内で移動することができるように、回転軸３１を中心とする円弧形状の貫通孔として形成されている。さらに、引出部挿通部４１の両外側に位置する収納部３４の外側壁３４ａには、この外側壁３４ａを切り欠いた一対の切り欠きからなる引出部挿通部４２が設けられている。引出部挿通部４２の下側の面はそれぞれ当接部４２ａとなっている。一方、図３に示す回転体３０の摺動子取付面３３には、下記する摺動子５０の取付部５６に挿入される小突起状の固定部４４が突設されている。
【００２３】
摺動子５０は、弾性金属板からなる部材で、略長方形状に形成された本体部５１と、該本体部５１の長手方向の両端部から外側に突出する半円弧状のアーム部５２とを備えると共に、アーム部５２の中間部に本体部５１の一方の面側に向かって突出する突起状の接点部５３を設けて構成されている。即ち、摺動子５０は、長方形状の本体部５１の長手方向の両端部にアーム部５２を介して接点部５３を設けた構成である。上記の摺接パターン１３とこの摺動子５０の接点部５３とで電気的機能部が構成される。本体部５１は、その短手方向の幅寸法が回転体３０の上下方向の幅寸法と略同一寸法で、長手方向の幅寸法が両引出部係止部２８間の幅寸法よりも若干大きな寸法に形成されている。また本体部５１の中央部に回転体３０の回転軸３２を貫通させる貫通穴５４を設け、該貫通穴５４の両側に一対の貫通穴からなる挿通部５５を設けると共に、本体部５１の上下部分２ヶ所ずつに小孔からなる取付部５６を設けている。
【００２４】
ねじりコイルスプリング６０は、線材をコイル状に巻き回したコイル部６１の両端から、コイル部６１の半径方向外側に向かう直線状の引出部６２を引き出して構成されている。コイル部６１は、両引出部６２を上方向に移動することでその内径が小さくなって絞られる方向になるように巻き回されている。またコイル部６１は、回転体３０のコイル部設置部３９内に設置可能な径寸法に巻き回されている。
【００２５】
押え部材６５は、合成樹脂製の平板状部材で、回転体３０の収納部３４を塞ぐ外形寸法である略長方形状に形成されている。そして、その中央部には回転体３０の回転軸３１を回動自在に軸支しながら挿入する円形の貫通孔からなる挿入部６６が設けられ、またその外周の下部両端と上部中央には外側に向けて舌片状に突出する取付部６７が設けられ、各取付部６７には、取付部材２０に設けた固定部２６を挿入する挿入固定部６８が設けられている。
【００２６】
つまみ７０は、合成樹脂の成形品で、その外形が、回転体３０の回転軸方向に直交する方向を長手方向とする略直方体形状に形成されている。そして上面の長手方向の両端近傍が指などで操作する操作部７１になっていて、下面にはこのつまみ７０の外形に沿った長方形の凹部状に形成された収納部７２が設けられている。この収納部７２は、つまみ７０を回転体３０に一体に設置した際に、回転体３０のつまみ設置面３５を覆って該回転体３０の一部（つまみ設置面３５及びその近傍を含む回転体３０の上側部分）をその内部に収納するようになっている。また、つまみ７０の下面（収納部７２の内底面）のつまみ７０の長手方向の両側近傍には、回転体３０に設けた一対の押圧部当接部３７にそれぞれ当接する一対の押圧部７３が設けられている。押圧部７３は、略三角形状に突出する一本の爪状の突起によって構成され、その先端部７３ａが回転体３０に設けた押圧部当接部３７の当接用凹部３７ａに当接して回転体３０を押圧することができる寸法形状に形成されている。一方、つまみ７０の長手方向の一対の側辺の下端中央には、下方に向かって舌片状に突出する取付部７４を設け、取付部７４の中央部に縦方向に帯状（直線状）に延びる矩形状の貫通孔からなる係合部７５を設け、また一対の取付部７４の対向する内側の面の下部には、下方向に向かって両面間が広がっていくテーパ面７６（図１参照）を設けている。
【００２７】
固定部材８０は、金属板製であり、取付部材２０の圧接接続部２２の上面をほぼ覆う矩形状の押え部８１と、押え部８１の両側辺から２本ずつ突出して下方向に屈曲される舌片状の取付片８２とを具備して構成されている。各取付片８２は圧接接続部２２の各取付片挿入部２９に対向する位置に形成されている。
【００２８】
第２フレキシブル回路基板８５は、可撓性を有する合成樹脂フイルム上に３つの端子パターン８６を設け、各端子パターン８６から引き出した引出パターン８７をこの第２フレキシブル回路基板８５の引出部８８に導出している。この第２フレキシブル回路基板８５上の固定部材８０の取付片８２に対応する位置には、取付片８２を貫通させる貫通孔からなる係合部８９が設けられている。
【００２９】
取付台９０は、合成樹脂を略矩形状に成形して構成されており、その前方側は電子部品載置部９１、後方側は基板圧接部９２となっている。基板圧接部９２の略中央には矩形状で凹状の弾発手段収納部９３が設けられ、また基板圧接部９２の両側近傍にはそれぞれ２つずつの貫通孔からなる係合部９４が設けられている。また弾発手段収納部９３内に収納される弾発手段９５は弾性金属板製であり、略矩形状の基部９６の長手方向の一側辺から３本の弾発片９７を突出して上方向に折り曲げ、それぞれの先端に上方向に突出する弾発部９７ａを形成して構成されている。電子部品載置部９１には、回転体３０が回転する際にその長手方向両側の下端面が収まる一対の凹部からなる開口部９８が設けられている。
【００３０】
次に回転式電子部品１の組立方法を説明すると、まず予め回転体３０の摺動子取付面３３に摺動子５０の本体部５１の一方の面（接点部５３が突出する側と反対側の面）を当接し、その際回転体３０に設けた固定部４４を摺動子５０に設けた取付部５６に挿入してその先端を熱カシメすることで固定する。次に回転体３０を、取付部材２０に取り付けたフレキシブル回路基板１０の機能パターン部１１の表面上に設置し、その際フレキシブル回路基板１０及び取付部材２０の貫通孔１７，２７に、回転体３０の一方の回転軸３２を回動自在に挿入する。このとき取付部材２０の引出部係止部２８が摺動子５０の挿通部５５と回転部材３０の挿通部４３とに挿通されて、回転体３０の収納部３４内に突出した状態になる。
【００３１】
次に、回転体３０のコイル部設置部３９内にねじりコイルスプリング６０のコイル部６１を設置して、両端の引出部６２をそれぞれ回転体３０の引出部挿通部４１と引出部挿通部４２に挿入し、当接部４０ａと引出部係止部２８とに弾接させる。このとき引出部６２は、当接部４２ａと取付部材２０の当接部２４ａ，２５ａとに極めて接近して位置している。あるいは引出部６２が、当接部４２ａと取付部材２０の当接部２４ａ，２５ａとに当接していても良い。そして、回転体３０の前面（収納部３４を設けた面）に押え部材６５を設置して被せ、押え部材６５の挿入部６６に回転体３０の回転軸３１を挿入して回動自在に軸支し、このとき同時に押え部材６５の各挿入固定部６８に取付部材２０の各固定部２６を挿入してその先端を熱カシメして固定する。これによって回転体３０の回転軸３１，３２はそれぞれ回転体３０の両側において取付部材２０と押え部材６５に軸支される。また押え部材６５を取り付けることで、取付部材２０から回転体３０が外れず、且つ回転体３０の収納部３４からねじりコイルスプリング６０が抜け出ない。また、このとき摺動子５０の接点部５３は機能パターン部１１の摺接パターン１３上にそれぞれ当接している。
【００３２】
そして、つまみ７０の収納部７２を回転体３０のつまみ設置面３５に被せるようにして該つまみ設置面３５を覆うことで、つまみ設置面３５上につまみ７０を設置する。この際回転体３０の一対の回転軸３１，３２の取付部３８を、つまみ７０に設けた一対の係合部７５に係止することで、つまみ７０を回転体３０と一体に設置する。つまみ７０を回転体３０に取り付ける際、図１に示すつまみ７０のテーパ面７６に取付部３８のテーパ面３８ａが当接してつまみ７０の両取付部７４が広がるように撓みながら両係合部７５が両取付部３８にいわゆるスナップイン係合によって容易に係合する。このとき同時に、図５に示すようにつまみ７０に設けた一対の押圧部７３の先端部７３ａが回転体３０に設けた一対の押圧部当接部３７の当接用凹部３７ａに当接する。
【００３３】
次に、取付台９０の弾発手段収納部９３内に弾発手段９５を収納した上で、その上に端子パターン８６を上向きとした第２フレキシブル回路基板８５を載置する。次に取付部材２０に取り付けたフレキシブル回路基板１０の端子パターン部１２を、図２に示すように取付部材２０の圧接接続部２２の下面側に折り曲げて、第２フレキシブル回路基板８５上に載置する。そして圧接接続部２２の上面に固定部材８０の押え部８１を載置し、その際固定部材８０の取付片８２を圧接接続部２２の取付片挿入部２９と端子パターン部１２の係合部１６と第２フレキシブル回路基板８５の係合部８９と取付台９０の係合部９４とに係合し、取付片８２の先端を取付台９０の裏面に折り曲げ、これによって取付部材２０を取付台９０に固定すると同時に、取付台９０上に載置した第２フレキシブル回路基板８５の各端子パターン８６とフレキシブル回路基板１０の各端子パターン１４とを圧接接続部２２の下面と弾発手段９５の弾発部９７ａとによって圧接接続する。
【００３４】
以上のようにして組み立てられた回転式電子部品１は、取付部材２０側に設けられた摺接パターン１３と回転体３０に取り付けられた摺動子５０とで構成される電気的機能部を備えている。また、回転体３０の回転軸３１の中心位置（回転体３０の回転中心位置）に設置されたコイル状に巻き回されたコイル部６１と、該コイル部６１から半径方向外側に引き出された引出部６２とを具備してなるコイルスプリング６０を回転体３０に内蔵している。そして図５に示すように、取付部材２０に設けた引出部係止部２８を摺動子５０に設けた接点部５３よりも回転体３０の回転軸３１，３２（回転体３０の回転中心）に近い位置（内側位置）に配置している。また回転体３０を、該回転体３０の回転軸方向に直交する方向を長手方向とする長方形状に形成している。また摺動子５０は、図２などに示すように回転体３０の長手方向と同一方向を長手方向とする長方形状の本体部５１を備え、該本体部５１の長手方向の両端部にアーム部５２を介して接点部５３を設けた構成としている。これにより接点部５３は、回転体３０の長手方向の両端部の近傍位置にそれぞれ配置されている。
【００３５】
図６は、この回転式電子部品１の動作を説明するための動作説明図である。図６と図５を用いて回転式電子部品１の動作を説明する。まず、図５に示すように回転体３０が中立位置にあるときは、ねじりコイルスプリング６０の両引出部６２は、回転体３０の両当接部４０ａと取付部材２０の両引出部係止部２８とに弾接している。このとき両引出部６２は、回転体３０の両当接部４２ａ及び取付部材２０の両当接部２４ａ，２５ａに極めて接近して位置しているか、又はこれらにも当接している。
【００３６】
そして例えばつまみ７０の一方の操作部７１を押圧操作すると、つまみ７０の一方の押圧部７３の先端部７３ａが回転体３０の押圧部当接部３７の当接用凹部３７ａを押圧することで、回転体３０及びつまみ７０全体が図６に示す矢印Ａ方向に回転し、摺動子５０の接点部５３がフレキシブル回路基板１０の摺接パターン１３上を摺動してその出力を変化する。その際、ねじりコイルスプリング６０の左側の引出部６２が引出部係止部２８で係止されて元の位置に保持される一方、右側の引出部６２が当接部４０ａによって押し上げられて図６の状態となる。そしてつまみ７０の回動を解除すれば、ねじりコイルスプリング６０の弾発復帰力によって回転体３０及びつまみ７０は元の図５の状態に自動復帰する。なお、回転体３０の回転角度は回転体３０のストッパ当接面３６ａに取付部材２０のストッパ当接部２３ａが当接することで規制される。なお、回転体３０の両当接部４２ａ及び取付部材２０の両当接部２４ａ，２５ａは、当接部４０ａと引出部係止部２８の補助として設けられており、上記の引出部係止部２８による引出部６２の係止の際、引出部６２は取付部材２０の当接部２４ａ（２５ａ）でも補助的に係止される。また、当接部４０ａで引出部６２が押し上げられる際に、引出部６２は当接部４２ａでも補助的に押し上げられる。
【００３７】
この回転式電子部品１では、上記のように引出部係止部２８を摺動子５０の接点部５３よりも回転体３０の回転軸３１，３２（回転体３０の回転中心）に近い位置に配置している。これにより回転式電子部品１の外形寸法の小型化（詳細には、回転式電子部品１の回転軸方向に直交する方向における幅寸法の小型化）を図ることができる。また、引出部係止部２８をコイルスプリング６０のコイル部６１に近付けて配置することができるので、引出部係止部２８とコイル部６１との間の引出部６２が撓むおそれがなくなると共に、引出部６２が引出部係止部２８で係止される際に生じるコイルスプリング６０の弾発復帰力を強くすることが可能となる。また引出部係止部２８を、摺動子５０の接点部５３よりも回転体３０の回転軸３１，３２に近い位置に配置したことによって、その分摺動子５０の接点部５３を回転体３０の回転軸３１，３２から離れた位置に配置できるので、摺動子５０の接点部５３が摺接パターン１３上を摺接する際の分解能を高めることができる。これらにより回転体３０の回転角度を小さくすることができるので、それによっても回転式電子部品１の小型化・薄型化を図ることができる。
【００３８】
また回転体３０を、該回転体３０の回転軸方向に直交する方向を長手方向とする長方形状に形成したことで、回転体３０の高さ寸法（回転軸３１，３２の上側部分や下側部分の厚さ寸法）を従来よりも小さくすることができるので、それによっても回転式電子部品１の薄型化を図ることができる。また、摺接パターン１３及び摺動子５０の接点部５３を、回転体３０の長手方向の両端部の近傍位置にそれぞれ配置したことで、これら摺接パターン１３及び摺動子５０の接点部５３を回転体３０の回転中心からできるだけ遠い位置に配置することができるので、接点部５３が摺接パターン１３上を摺接する際の分解能をさらに高めることができる。これにより回転体３０の回転角度がより小さくて済むので、回転式電子部品１の小型化・薄型化を図ることができる。また、摺動子５０が長方形状の本体部５１を備えて形成されているので、長方形状の回転体３０への取り付けが簡単で、且つ回転体３０から容易に外れない摺動子５０となる。また、簡単な構成で回転体３０の長手方向の両端部の近傍位置に接点部５３を配置することが可能な摺動子５０となる。
【００３９】
〔第２実施形態〕
次に、本発明の第２実施形態にかかる回転式電子部品を説明する。この第２実施形態における図面及びその説明においては、下記で説明する以外の事項については、上記の第１実施形態と同じである。図７は、本発明の第２実施形態にかかる回転式電子部品１−２の一部構成部品を前面側から見た分解斜視図である。この回転式電子部品１−２は、第１実施形態の回転式電子部品１が備える回転体３０の外周側面上に設置されたつまみ７０に代えて、回転体３０の一方の回転軸３１に取り付けるつまみ１００を備えたもので、それに伴い回転体３０や押え部材６５の形状も若干変更したものである。
【００４０】
即ち、この回転式電子部品１−２が備えるつまみ１００は、合成樹脂製で円形平板状の部材で、その外周側面が指などで回転操作する操作部１０１になっていて、一方の端面の中心部には突起状の取付部１０２が設けられ、該取付部１０２内に下記する回転体３０−２の軸部３１を挿入して取り付ける挿入固定部１０３が設けられている。挿入固定部１０３の内周には下記する軸部３１の係合用突起３１ａを挿入する溝部１０３ａが形成されている。回転体３０−２は、第１実施形態の回転体３０において押圧部当接部３７を省略すると共に回転軸３１，３２の先端に設けていた取付部３８も省略し、それらに代えて、回転軸３１の先端の外周に、つまみ１００の溝部１０３ａに係合してつまみ１００が回転軸３１に対して回転することを防止する係合用突起３１ａを設けて構成されている。また押え部材６５−２は、挿入部６６の内周の係合用突起３１ａに対応する位置に該係合用突起３１ａを挿通させる凹部６６ａを形成している。
【００４１】
この回転式電子部品１−２は、第１実施形態の回転式電子部品１の組み立てと同様の手順で、回転体３０−２を取付部材２０と押え部材６５−２で回転自在に軸支する状態まで組み立てた後、押え部材６５−２の挿入部６６から突出する回転軸３１の先端をつまみ１００の挿入固定部１０３に挿入して、つまみ１００を回転軸３１に取り付ける。なお詳細な図示は省略するが、本実施形態の回転式電子部品１−２では、第１実施形態の回転式電子部品１における取付台９０の電子部品載置部９１を省略するか、あるいはこれをつまみ１００と接触しない形状に変更している。この回転式電子部品１−２でも、つまみ１００以外の各部品の形状が第１実施形態の回転式電子部品１の各部品とほぼ同一の形状なので、つまみ１００以外の部分の小型化・薄型化を図ることができる。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。
【００４３】
上記各実施形態では、取付部材２０に、引出部６２を補助的に係止する当接部２４ａ，２５ａを設けた場合を説明したが、この当接部２４ａ，２５ａは設置を省略することも可能である。その場合は、回転体３０が回転する際に引出部係止部２８だけで引出部６２を係止する。このように当接部２４ａ，２５ａを省略する場合は、押え部材固定部２４，２５以外の他の構造を採用して押え部材６５を固定するように構成すれば、当接部２４ａ，２５ａを設けている押え部材固定部２４，２５自体もその設置を省略することが可能となる。このように押え部材固定部２４，２５を省略できることで、その分回転式電子部品１をさらに小型化することが可能となる。また、回転体３０に設けた当接部４２ａもその設置を省略することが可能である。その場合は、回転体３０が回転する際に回転体３０の当接部４０ａのみで引出部６２を押圧することになる。
【００４４】
また、引出部係止部２８の具体的な形状は上記実施形態で示す形状には限定されず、回転体３０が回転する際に引出部６２を係止できるものであれば、これ以外の形状としてもよい。また、引出部係止部２８は回転軸３１の両側に一対設けた場合を示したが、これら一対の引出部係止部２８のうちいずれか一方を省略して他方のみを設け、回転体３０がこの一方の側にだけ回動するように構成し、その際にこの一方の引出部係止部２８で引出部６２が係止されるように構成してもよい。また引出部係止部２８は、取付部材２０のみならず、押え部材６５（６５−２）に設けることもできる。本発明の引出部係止部としては、要は、押え部材６５（６５−２）を含む取付部材側に設けていればよい。また回転体３０の具体的な形状も上記実施形態には限定されず、これ以外にも例えば取付部材２０を向く面側（摺動子取付面３３側）にコイルスプリング６０を収納する収納部３４を形成してもよい。その場合は、挿通部４３が不要となる。また上記実施形態では、回転体３０側に回転軸３２，３１を設け、取付部材２０及び押え部材６５（６５−２）側に回転軸３２，３１を回転自在に軸支する貫通孔２７，６６を設けた場合を示したが、これとは逆に、取付部材２０及び押え部材６５（６５−２）側に軸状の突起部を形成し、回転体３０側に該軸状の突起部によって回転自在に軸支される貫通孔などからなる軸支部を形成してもよい。
【００４５】
上記各実施形態では、回転部材３０（３０−２）を操作するつまみ７０（１００）を設置している場合を示したが、つまみ７０（１００）は省略することも可能である。その場合は、回転体３０の外周側面等に操作部を形成し、この操作部を指等で直接操作することで回転体３０を回転させるように構成すればよい。
【００４６】
また上記実施形態において用いた第２フレキシブル回路基板８５と取付台９０と固定部材８０とは必ずしも必要なく、省略してもよい。要は本発明にかかる回転式電子部品は、取付部材と、取付部材に対して回転自在に設置される回転体と、取付部材側に設けられた摺接パターンと回転体に取り付けられた摺動子とを具備する電気的機能部と、回転体の回転中心位置に設置されたコイル状に巻き回されたコイル部と、該コイル部から半径方向外側に引き出された引出部とを具備するコイルスプリングと、回転体が回転する際に引出部に当接してこれを係止する引出部係止部と、を備えたものであればよい。
【図面の簡単な説明】
【００４７】
【図１】本発明の第１実施形態にかかる回転式電子部品１の側断面図である。
【図２】回転式電子部品１を前面側から見た分解斜視図である。
【図３】回転式電子部品１の一部構成部品を背面側から見た分解斜視図である。
【図４】フレキシブル回路基板１０を取り付けた取付部材２０を示す斜視図である。
【図５】回転式電子部品１を前面側から見た概略構成図である。
【図６】回転式電子部品１の動作説明図である。
【図７】本発明の第２実施形態にかかる回転式電子部品１−２の一部構成部品を前面側から見た分解斜視図である。
【符号の説明】
【００４８】
１，１−２      回転式電子部品
１０            フレキシブル回路基板（回路基板）
１３            摺接パターン（電気的機能部）
２０            取付部材
２７            貫通孔
２８            引出部係止部
３０，３０−２  回転体
３１，３２      回転軸
３３            摺動子取付面
３４            収納部
３５            つまみ設置面
３９            コイル部設置部
４０            突起部
４０ａ          当接部
４１            引出部挿通部
４２            引出部挿通部
４２ａ          当接部
５０            摺動子（電気的機能部）
５１            本体部
５３            接点部（電気的機能部）
６０            ねじりコイルスプリング（コイルスプリング）
６１            コイル部
６２            引出部
６５，６５−２  押え部材
６６            挿入部
７０            つまみ
７２            収納部
８０            固定部材
８５            第２フレキシブル回路基板（回路基板）
９０            取付台
９５            弾発手段
１００          つまみ
【図１】
0004711872.tif 000002
【図２】
0004711872.tif 000003
【図３】
0004711872.tif 000004
【図４】
0004711872.tif 000005
【図５】
0004711872.tif 000006
【図６】
0004711872.tif 000007
【図７】
0004711872.tif 000008